【事件の表示】
　特願２０１５−１５４５７２号「遊技機」拒絶査定不服審判事件〔平成２９年　２月１６日出願公開、特開２０１７−　３５１２２号〕について、次のとおり審決する。
【結　論】
　本件審判の請求は、成り立たない。
【理　由】
第１　手続の経緯
　本願は、平成２７年８月４日の出願であって、平成２８年６月９日付けで拒絶の理由が通知され、平成２８年８月２２日に意見書及び手続補正書が提出されたところ、平成２８年９月３０日付けで拒絶査定がなされ、それに対して、平成２９年１月１２日に拒絶査定不服審判の請求がなされると同時に明細書及び特許請求の範囲に係る手続補正（以下「本件補正」という。）がなされたものである。
第２　本件補正についての補正却下の決定
［補正却下の決定の結論］
　本件補正を却下する。
［理由］
１　補正の内容
　本件補正は、特許請求の範囲を補正する内容を含んでおり、平成２８年８月２２日付けの手続補正書と本件補正の、特許請求の範囲の請求項１の記載はそれぞれ以下の通りである（下線部は補正箇所を示す。また、Ａ〜Ｈは、分説するために当審にて付した。）。
（補正前：平成２８年８月２２日付け手続補正）
「【請求項１】
　開放状態と閉鎖状態とに可動制御される大入賞装置と、
　所定の条件を満たした場合に遊技球を払い出す払出手段と、
　前記払出手段により払い出された前記遊技球を貯留する貯留手段と、
　前記貯留手段に貯留される遊技球が所定量以上であることを検出する検出手段と、
　前記検出手段により前記貯留手段に貯留される遊技球が所定量以上であると検出されたときに、遊技者に報知を行う報知手段と、を備え、
　前記報知手段は、前記貯留手段に貯留される遊技球が所定量以上であることを音声で報知する第１の報知と、前記貯留手段に貯留される遊技球が前記所定量未満となるように遊技者が行うべき操作を表示して示唆する内容を報知する第２の報知と、を行う構成とされ、前記大入賞装置の開閉態様に応じて前記第１の報知を制限することを特徴とする遊技機。」
（補正後：本件補正である平成２９年１月１２日付け手続補正）
「【請求項１】
Ａ　開放状態と閉鎖状態とに可動制御される大入賞装置と、
Ｂ　所定の条件を満たした場合に遊技球を払い出す払出手段と、
Ｃ　前記払出手段により払い出された前記遊技球を貯留する貯留手段と、
Ｄ　前記貯留手段に貯留される遊技球が所定量以上であることを検出する検出手段と、
Ｅ　前記検出手段により前記貯留手段に貯留される遊技球が所定量以上であると検出されたときに、遊技者に報知を行う報知手段と、を備え、
Ｆ　前記報知手段は、前記貯留手段に貯留される遊技球が所定量以上であることを音声で報知する第１の報知と、
Ｇ　前記貯留手段に貯留される遊技球が前記所定量未満となるように遊技者が行うべき操作を表示して示唆する内容を報知する第２の報知と、を行う構成とされ、
Ｈ　前記大入賞装置の開閉態様に応じて前記第１の報知を制限
しつつ前記第２の報知を可能と
２　補正の適否
　本件補正の、「前記大入賞装置の開閉態様に応じて前記第１の報知を制限することを特徴とする遊技機。」を「前記大入賞装置の開閉態様に応じて前記第１の報知を制限しつつ前記第２の報知を可能とすることを特徴とする遊技機。」とする補正は、補正前の請求項１に記載した発明を特定するために必要な事項である「前記大入賞装置の開閉態様に応じて」行う「報知」に関して、「前記第１の報知を制限する」ことを「前記第１の報知を制限しつつ前記第２の報知を可能とする」ことに補正することで、「第２の報知」の動作を限定するものであって、かつ、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そして、本件補正は、願書に最初に添付した明細書の段落【０２２１】〜【０２２４】、段落【０２３５】〜【０２４４】、【図１３】に基づくものといえ、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明 
　本願補正発明は、上記１の本件補正の概要において示したとおりのものである。
（２）刊行物に記載された事項
（２−１）原査定の拒絶の理由に引用された、本願の出願前に頒布された刊行物である特開２０１４−１６１４７４号公報（以下、「刊行物１」という。）には、次の事項が記載されている（下線は当審で付した。）。
ア「【００１６】
　球貯留皿付扉１０８は、
パチンコ機１００
球貯留皿付扉１０８は、
上皿１２６と、上皿１２６に貯留しきれない遊技球を貯留する下皿１２８
遊技者の操作によって下皿１２８に貯留された遊技球を遊技球収集容器（俗称、ドル箱）へと排出させる球排出レバー１３２
イ「【００２１】
　
払出装置１５２は、
払出モータとスプロケットと払出センサとを備えている。
【００２２】
　
スプロケットは、払出モータによって回転可能に構成され
払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２３】
　
払出センサは、スプロケットが送り出した遊技球の通過を検知するためのセンサであり、
この払出センサを通過した遊技球は、
パチンコ機１００の前面側に配設した上皿１２６に到達するように構成しており、パチンコ機１００は、所定の付与条件が成立したことに基づいて遊技者にその付与条件に応じた量の遊技価値（遊技球）をこの構成により付与する（払い出す）。
ウ「【００３９】
　可変入賞口２３４は、本実施形態では遊技盤２００の中央部下方に１つだけ配設しているが、遊技領域２１４の右側領域（第２の領域）を狙っている方が入賞しやすい。この
可変入賞口２３４は、入賞開口と、ソレノイドによってその入賞開口を開閉自在な扉部材２３４１とを備えている。入賞開口は大入賞口と呼ばれることがあり、可変入賞口２３４はアタッカと呼ばれることがある。可変入賞口２３４は、
大当り遊技が開始されると、開状態と閉状態との間で状態変更を繰り返す。
エ「【０３６６】
　図３０（イ）には、８ラウンド中に複数の遊技球Ｂがアタッカに入賞している様子が示されている。すなわち、扉部材２３４１が開き、可変入賞口２３４に複数の遊技球Ｂが入球している。また、その横には、そのときの下皿１２８の様子が示されている。図３０（イ）に示す下皿１２８には、遊技球Ｂが満タン近くまで貯まっている。この状態でアタッカ入賞の賞球が払い出され、下皿１２８は遊技球Ｂで満タンになる。不図示の
下皿満タン検知センサは、下皿１２８が遊技球Ｂによって満タンになったことを検知し、第１副制御部４００には、下皿満タンエラーを表すデバイス情報を含んだ基本コマンドが送信されてくる。こりにより、装飾図柄表示装置２０８には、報知画像が表示される。
【０３６７】
　
図３０（ウ）に示す装飾図柄表示装置２０８には、
報知画像が表示されている。
報知画像には、「球を抜いてください」という文字画像と、球排出レバー１３２を表す画像
５８１と、下皿１２８を表す画像
５８２が表示されている。
【０３６８】
　
「球を抜いてください」という文字画像は、球排出レバー１３２の操作を促す報知になる。
【０３６９】
　
可動手段の一例に相当する球排出レバー１３２を表す画像（第一の部位を表す画像）５８１には、未操作の状態（現在の状態）の球排出レバー１３２が実線で表示されるとともに、球排出レバー１３２の操作を促す矢印の画像５８１１も表示され、さらに、操作後の状態の球排出レバー１３２が点線で表示されている。すなわち、球排出レバー１３２の操作前の位置と、操作後の位置が両方表示されている。
・・・
【０３７１】
　以上説明したように、図３０（ウ）に示す報知画像は、報知画像が表示された時点の実際の状態（球抜き前の状態）とは異なる状態（球抜き中の状態）の球排出レバー１３２や下皿１２８を表す画像になる。その結果、この報知画像は、遊技者の注意を引き、
遊技者に、球排出レバー１３２を操作しなくてはならないことをわかりやすく伝えることができ
オ　上記ア、イには「パチンコ機１００」（【００１６】、【００２３】）と記載され、上記ウには「可変入賞口２３４は、入賞開口と、ソレノイドによってその入賞開口を開閉自在な扉部材２３４１とを備えている。入賞開口は大入賞口と呼ばれることがあり、可変入賞口２３４はアタッカと呼ばれることがある。」（【００３９】）と記載されている。したがって、刊行物１には、
ソレノイドによって大入賞口を開閉自在な扉部材２３４１を備えている可変入賞口２３４（アタッカ）を有するパチンコ機１００
カ　上記イには「払出装置１５２は、・・・払出モータとスプロケットと払出センサとを備えている。」（【００２１】）、「スプロケットは、払出モータによって回転可能に構成され・・・遊技球を払出装置１５２の下方へ１個ずつ送り出すように構成している。」（【００２２】）、「払出センサは、スプロケットが送り出した遊技球の通過を検知するためのセンサであり、・・・この払出センサを通過した遊技球は、・・・パチンコ機１００の前面側に配設した上皿１２６に到達するように構成しており、パチンコ機１００は、所定の付与条件が成立したことに基づいて遊技者にその付与条件に応じた量の遊技価値（遊技球）をこの構成により付与する（払い出す）。」（【００２３】）と記載されている。ここで「この構成」とは、払出モータとスプロケットと払い出しセンサからなる払出装置１５２から遊技球を「上皿１２６に到達する」ようになした構成である。そして、上記アには、「上皿１２６に貯留しきれない遊技球を貯留する下皿１２８」（【００１６】）と記載されているから、刊行物１には、
所定の付与条件が成立したことに基づいて遊技価値（遊技球）を払い出す払出装置１５２を有し、払出装置１５２により払い出された遊技球を上皿１２６に貯留するとともに、上皿１２６に貯留しきれない遊技球を貯留する下皿１２８
キ　上記エには、「下皿満タン検知センサは、下皿１２８が遊技球Ｂによって満タンになったことを検知し、第１副制御部４００には、下皿満タンエラーを表すデバイス情報を含んだ基本コマンドが送信されてくる。こりにより、装飾図柄表示装置２０８には、報知画像が表示される。」（【０３６６】）と記載されている。よって、刊行物１には、
下皿１２８が遊技球によって満タンになったことを検知する下皿満タン検知センサ
検知センサが満タンになったことを検知すると装飾図柄表示装置２０８に報知画像が表示され
ク　上記アには、「遊技者の操作によって下皿１２８に貯留された遊技球を遊技球収集容器（俗称、ドル箱）へと排出させる球排出レバー１３２」（【００１６】）を有ることが記載され、さらに、上記エには、「図３０（ウ）に示す装飾図柄表示装置２０８には、・・・報知画像が表示されている。・・・報知画像には、「球を抜いてください」という文字画像と、球排出レバー１３２を表す画像・・・５８１と、下皿１２８を表す画像・・・５８２が表示されている。」（【０３６７】）、「「球を抜いてください」という文字画像は、球排出レバー１３２の操作を促す報知になる。」（【０３６８】）、「可動手段の一例に相当する球排出レバー１３２を表す画像（第一の部位を表す画像）５８１には、未操作の状態（現在の状態）の球排出レバー１３２が実線で表示されるとともに、球排出レバー１３２の操作を促す矢印の画像５８１１も表示され、さらに、操作後の状態の球排出レバー１３２が点線で表示されている。すなわち、球排出レバー１３２の操作前の位置と、操作後の位置が両方表示されている。」（【０３６９】）と記載されている。また、「遊技者に、球排出レバー１３２を操作しなくてはならないことをわかりやすく伝えることができ」（【０３７１】）と記載されているから、上記報知画像は、遊技者が下皿１２８から球を抜くための球排出レバー１３２の操作方法を表示して報知するものといえる。よって、刊行物１には、
報知画像により、遊技者が下皿１２８から球を抜くための球排出レバー１３２の操作方法を表示して報知する
ケ　上記ア〜エの記載事項及び上記オ〜クの認定事項から、刊行物１には次の発明（以下「刊行物発明」という。）が記載されていると認められる（ａ〜ｇは、本件補正発明のＡ〜Ｇに対応させて付与した。）。
「ａ　ソレノイドによって大入賞口を開閉自在な扉部材２３４１を備えている可変入賞口２３４（アタッカ）と、
ｂ　所定の付与条件が成立したことに基づいて遊技価値（遊技球）を払い出す払出装置１５２と、
ｃ　払出装置１５２により払い出された遊技球を上皿１２６に貯留するとともに、上皿１２６に貯留しきれない遊技球を貯留する下皿１２８と、
ｄ　下皿１２８が遊技球によって満タンになったことを検知する下皿満タン検知センサを有し、
ｅ　検知センサが満タンになったことを検知すると装飾図柄表示装置２０８に報知画像が表示され、
ｇ　報知画像により、遊技者が下皿１２８から球を抜くための、球排出レバー１３２の操作方法を表示して報知するパチンコ機」
（３）対比
　本願補正発明と刊行物発明とを対比する。なお、見出しは（ａ）〜（ｇ）とし、本願補正発明、刊行物発明の文節に対応させている。
（ａ）刊行物発明の「ソレノイドによって大入賞口を開閉自在な扉部材２３４１」は、本願補正発明の「開放状態と閉鎖状態とに可動制御される」ものに相当する。また、刊行物発明の「可変入賞口２３４（アタッカ）」は、本願補正発明の「大入賞装置」に相当する。
　したがって、刊行物発明の「ソレノイドによって大入賞口を開閉自在な扉部材２３４１を備えている可変入賞口２３４（アタッカ）」は、本願補正発明の「開放状態と閉鎖状態とに可動制御される大入賞装置」に相当する。
（ｂ）刊行物発明の「所定の付与条件が成立したことに基づいて」は、本願補正発明の「所定の条件を満たした場合に」に相当する。また、刊行物発明の「遊技価値（遊技球）を払い出す払出装置１５２」は、本願補正発明の「遊技球を払い出す払出手段」に相当する。
　したがって、刊行物発明の「所定の付与条件が成立したことに基づいて遊技価値（遊技球）を払い出す払出装置１５２」は、本願補正発明の「所定の条件を満たした場合に遊技球を払い出す払出手段」に相当する。
（ｃ）刊行物発明の「払出装置１５２により払い出された遊技球」は、本願補正発明の「前記払出手段により払い出された前記遊技球」に相当する。また、刊行物発明の「下皿１２８」は、「上皿１２６」を経由して「払出装置１５２により払い出された遊技球」を貯留するものである。そして、本願明細書【０００５】にも「貯留手段（下皿１４１）」の記載があり、下皿を貯留手段としていることから、刊行物発明の「下皿１２８」は、本願補正発明の「貯留手段」に相当する。
　したがって、刊行物発明の「払出装置１５２により払い出された遊技球を上皿１２６に貯留するとともに、上皿１２６に貯留しきれない遊技球を貯留する下皿１２８」は、本願補正発明の「払出手段により払い出された前記遊技球を貯留する貯留手段」に相当する。
（ｄ）（ｃ）で述べたとおり、刊行物発明の「下皿１２８」は、本願補正発明の「貯留手段」に相当する。また、本願明細書の【００２０】に「遊技球で満タン（所定量以上）になったことを検出するための後述する皿満タンスイッチ３１３が設けられている」と記載されているように、「満タンになったことを検知する」ことは、「所定量以上であることを検出する」ことといえるから、刊行物発明の「下皿１２８が遊技球によって満タンになったことを検知する下皿満タン検知センサ」は、本願補正発明の「貯留手段に貯留される遊技球が所定量以上であることを検出する検出手段」に相当する。
（ｅ）刊行物発明の「検知センサが満タンになったことを検知すると」は、本願補正発明の「検出手段により前記貯留手段に貯留される遊技球が所定量以上であると検出されたとき」に相当する。そして、刊行物発明は「検知センサが満タンになったことを検知すると装飾図柄表示装置２０８に報知画像が表示され」るから、本願補正発明の「前記検出手段により前記貯留手段に貯留される遊技球が所定量以上であると検出されたときに、遊技者に報知を行う報知手段」に相当する構成を備えているといえる。
（ｇ）刊行物発明において「下皿１２８から球を抜く」のは、下皿が満タン状態でないようにするためであることは明らかであるから、本願補正発明において「貯留手段に貯留される遊技球が前記所定量未満となるように」することに相当する。また、刊行物発明において「球排出レバー１３２の操作方法を表示して報知する」ことは、本願補正発明の「遊技者が行うべき操作を表示して示唆する内容を報知する」することに相当する。そしてこの刊行物発明における「球排出レバー１３２の操作方法」の「報知」は、「報知画像により」行われるから、上記（ｅ）で述べた、本願補正発明の「前記検出手段により前記貯留手段に貯留される遊技球が所定量以上であると検出されたときに、遊技者に報知を行う報知手段」に相当する構成を用いて行われることは明らかである。
　したがって、刊行物発明において「報知画像により、遊技者が下皿１２８から球を抜くための、球排出レバー１３２の操作方法を表示して報知する」ことは、本願補正発明の「報知手段は、前記貯留手段に貯留される遊技球が前記所定量未満となるように遊技者が行うべき操作を表示して示唆する内容を報知する第２の報知を行う」ことに相当する。
　そうすると、本願補正発明と刊行物発明とは、
「Ａ　開放状態と閉鎖状態とに可動制御される大入賞装置と、
Ｂ　所定の条件を満たした場合に遊技球を払い出す払出手段と、
Ｃ　前記払出手段により払い出された前記遊技球を貯留する貯留手段と、
Ｄ　前記貯留手段に貯留される遊技球が所定量以上であることを検出する検出手段と、
Ｅ　前記検出手段により前記貯留手段に貯留される遊技球が所定量以上であると検出されたときに、遊技者に報知を行う報知手段と、を備え、
Ｇ　前記報知手段は、前記貯留手段に貯留される遊技球が前記所定量未満となるように遊技者が行うべき操作を表示して示唆する内容を報知する第２の報知を行う遊技機。」
の点で一致し、以下の点で相違する。
（相違点１）
　本願補正発明では報知手段の報知として「貯留手段に貯留される遊技球が所定量以上であることを音声で報知する第１の報知」（構成Ｆ）を有するのに対し、刊行物発明ではそのような報知がない点。
（相違点２）
　本願補正発明では報知に関して、「大入賞装置の開閉態様に応じて前記第１の報知を制限しつつ前記第２の報知を可能とする」（構成Ｈ）ようにしたのに対し、刊行物発明では、第１の報知がないことから上記構成（構成Ｈ）がない点。
（４）判断
　上記相違点について検討する。
　上記相違点１および２は、ともに貯留手段に貯留される遊技球が所定量以上であることを音声で報知するものである点で共通していることから、あわせて検討する。
　皿満タンエラーを音声で報知し、その際、オープニングデータが長当たり用のオープニングデータ以外であれば（短当たり、小当たり等）、皿満タンエラー音声を出力させないようにすること、すなわち、大入賞装置の開閉態様に応じて制限することは、本願出願前に周知である（たとえば特開２０１３-１１１４０４号、段落【０３１２】、【０３１７】、特開２０１５-９１４２４号、段落【０３１１】、【０３１６】、特開２０１５−９１４２５号、段落【０３１１】、【０３１６】参照）。
　そして、刊行物発明と上記周知の技術事項とは、貯留手段に貯留される遊技球が所定量以上であると検出されたときに、遊技者に報知を行うという点で共通するものであるし、報知を行う際に画像表示に加えて音声での報知を行うことに、なんら阻害要因はない。
　したがって、刊行物発明の、表示により第２の報知を行うことに加え、上記周知の、大入賞装置の開閉態様に応じて音声出力を制限しつつ（長当たり以外では皿満タンエラーを報知しない）、皿満タンエラーを音声で報知する第１の報知を行う構成を単に付加して適用し、本願補正発明の第１の報知とし、第１の報知の制限によらず第２の報知を可能とするようにして、上記相違点１、２に係る本願補正発明の構成とすることは、当業者が容易に想到しうることと認められる。
（５）請求人の主張について
　請求人は、平成２９年１月１２日付けの審判請求書第４頁第８行目〜第１５行目において、
「新請求項１記載の発明は、以下の如き特徴点を有している。
（ａ）報知手段は、貯留手段に貯留される遊技球が所定量以上であることを報知する第１の報知と、貯留手段に貯留される遊技球が所定量未満となるように遊技者が行うべき操作を示唆する内容を報知する第２の報知とを行う点
（ｂ）音声による第１の報知が行われ、表示による第２の報知が行われるとともに、大入賞装置の開閉態様に応じて第１の報知を制限する点 
（ｃ）大入賞装置の開閉態様に応じて第１の報知を制限する際、第２の報知が可能とされる点 」
と主張している。
　しかしながら、報知等を表示や音声やその組み合わせ等で行うことで、より的確に行うことは、一般的な課題であり、当業者であれば当然検討することであるから、上記３（４）で述べたとおり、報知を行う際に画像表示に加えて音声での報知を行うことに、なんら阻害要因はない。よって、刊行物発明の表示による報知（第２の報知に相当）に加えて、上記周知の、大入賞装置の開閉態様に応じて音声出力を制限しつつ行う（長当たり以外では皿満タンエラーを報知しない）音声による報知を、単に付加して行うことは、当業者が容易に想到しうることと認められる。そして、その場合、音声による報知が大入賞装置の開閉態様に応じて制限されたとしても、表示による報知は、それによらずに表示されることになるし、そのような表示を行うことを妨げる理由もない。したがって、請求人の主張を採用することはできない。
（６）本願補正発明が奏する効果について
　上記相違点１及び２によって本願補正発明が奏する効果は、当業者が刊行物発明及び周知技術から予測し得る程度のものであって、格別のものではない。
（７）まとめ
　以上のように、本願補正発明は、当業者が刊行物発明及び周知技術に基づいて容易に発明をすることができたものであるから、特許法第２９条第２項の規定により、特許出願の際独立して特許を受けることができない。
４　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
　本件補正は上記のとおり却下されたので、本願の請求項１に係る発明は、平成２８年８月２２日付け手続補正書により補正された、上記第２の１で補正前として示した特許請求の範囲の請求項１に記載されたとおりのものである。
１　刊行物
　刊行物１の記載事項並びに刊行物発明は、上記第２の３（２）に補正前の発明として記載したとおりである。
２　対比・判断  
　本願発明は、上記「第２」で検討した本願補正発明の「前記大入賞装置の開閉態様に応じて前記第１の報知を制限しつつ前記第２の報知を可能とする」から「前記第２の報知を可能とする」という事項を省いたものである。
　そうすると、本願発明の特定事項を全て含み、さらに他の特定事項を付加したものに相当する本願補正発明が、上記第２の３に記載したとおり、刊行物発明及び周知技術に基づいて当業者が容易に発明をすることができたものであるから、本願発明も、同様の理由により、当業者が刊行物発明及び周知技術に基づいて容易に発明をすることができたものである。
３　むすび
　以上のとおりであるから、本願発明は、特許法第２９条第２項の規定により特許を受けることができない。
　よって、結論のとおり審決する。